(57)【特許請求の範囲】
【請求項１】
所定の位置に予め設置されている複数の基地局と、該複数の基地局に無線回線を介して接続される複数の加入者局と、各局の運用、保守を行うメインサーバとを有する加入者無線システムにおける加入者局設置方法において、
新規加入者局の設置に際して、前記メインサーバに接続されるアクセス端末から該新規加入者局の設置位置情報を入力して、前記メインサーバに対して問合せを行い、
前記メインサーバは、
前記新規加入者局の設置位置情報に基づく問合せに対応して、位置情報格納手段に格納された前記複数の基地局の位置情報およびその無線範囲を参照して該新規加入者局の無線接続可能な基地局を抽出し、
該抽出した抽出基地局の設置位置情報および前記新規加入者局の設置位置情報に基づき地図情報配信サーバにアクセスして、前記抽出基地局の設置位置および前記新規加入者局の設置位置を含む３次元地図情報を取得し、
該取得した３次元地図情報を前記アクセス端末ヘ転送し、
前記アクセス端末は、
前記メインサーバから転送された３次元地図情報に基づき前記抽出基地局の設置位置および前記新規加入者局の設置位置を含む３次元地図を表示し、
該表示した３次元地図に基づき前記抽出基地局の設置位置と前記新規加入者局の設置位置との間の見通し判定を行い、
該判定の判定結果により前記抽出基地局の設置位置と前記新規加入者局の設置位置との間の見通しが否の場合は、前記新規加入者局の設置位置を微調整し、
該微調整した前記新規加入者局の設置位置を前記メインサーバに送信して再問合せを行い、
前記新規加入者局の設置位置の微調整および前記メインサーバに対する再問合せを前記判定結果が良となるまで繰り返す
ことを特徴とする加入者無線システムにおける加入者局設置方法。
【請求項２】
前記メインサーバは、
前記アクセス端末からの前記新規加入者局のアンテナの設置方位および上下角度情報の要求に際して、前記新規加入者局の設置位置情報および前記抽出基地局の設置位置情報に基づき該新規加入者局のアンテナの最適方位および上下角度を算出し、
該算出したアンテナの最適方位および角度を前記アクセス端末へ通知する
ことを特徴とする請求項１記載の加入者無線システムにおける加入者局設置方法。
【請求項３】
前記メインサーバは、
前記アクセス端末からの前記新規加入者局の設置位置情報に基づき前記抽出基地局に対して該新規加入者局の登録要求を送信し、
該登録要求に応答して前記基地局から返送された登録結果を前記アクセス端末ヘ通知する
ことを特徴とする請求項１記載の加入者無線システムにおける加入者局設置方法。
【請求項４】
前記新規加入者局は、
前記新規加入者局の設置位置情報に基づき前記抽出基地局に対して該新規加入者局の加入者情報の登録要求を送信し、
前記抽出基地局は、
前記登録要求に基づき前記新規加入者局の加入者情報を前記メインサーバヘ登録する
ことを特徴とする請求項１記載の加入者無線システムにおける加入者局設置方法。
【請求項５】
所定の位置に予め設置されている複数の基地局と、
前記基地局に無線回線を介して接続される複数の加入者局と、
各局の運用、保守を行うメインサーバと
を有する加入者無線システムにおいて、
前記メインサーバに接続されるアクセス端末と、
前記メインサーバに接続され、前記複数の基地局の位置情報およびその無線範囲を格納する位置情報格納手段と、
前記メインサーバに接続され、３次元地図情報を配信する地図情報配信サーバと
を具備し、
前記メインサーバは、
前記アクセス端末で入力された新規加入者局の設置位置情報に基づく問合せに対応して、前記位置情報格納手段に格納された前記複数の基地局の位置情報およびその無線範囲を参照して該新規加入者局の無線接続可能な基地局を抽出する抽出手段と、
前記抽出手段で抽出された抽出基地局の設置位置情報および前記アクセス端末で入力された新規加入者局の設置位置情報に基づき前記地図情報サーバにアクセスして、前記抽出基地局の設置位置および前記新規加入者局設置位置を含む３次元地図情報を取得する取得手段と、
前記取得手段で取得した３次元地図情報を前記アクセス端末ヘ転送する転送手段と
を具備し、
前記アクセス端末は、
前記転送手段により転送された３次元地図情報に基づき前記抽出基地局の設置位置および前記新規加入者局の設置位置を含む３次元地図を表示する表示手段と、
前記表示手段により表示された３次元地図に基づき前記抽出基地局の設置位置と前記新規加入者局の設置位置との間の見通し判定を行う判定手段と、
前記判定手段の判定結果が否である場合は、前記新規加入者局の設置位置を微調整する調整手段と、
前記調整手段で調整した前記新規加入者局の設置位置を前記メインサーバに送信して問合せを行う再問合せ手段と
を具備し、
前記調整手段による前記微調整および前記再問合せ手段による前記問合せを前記判定手段の判定結果が良となるまで繰り返すことを特徴とする加入者無線システム。
【請求項６】
前記メインサーバは、
前記アクセス端末からの前記新規加入者局のアンテナの設置方位および上下角度情報の要求に際して、該新規加入者局の設置位置情報および前記抽出基地局の設置位置情報に基づき該新規加入者局のアンテナの最適方位および上下角度を算出算出手段と、
前記算出手段で算出したアンテナの最適方位および角度を前記アクセス端末へ通知する通知手段と
を更に具備することを特徴とする請求項５記載の加入者無線システム。
【請求項７】
前記メインサーバは、
前記新規加入者局の設置位置情報に基づき前記抽出基地局に対して該新規加入者局の登録要求を送信する送信手段と、
前記登録要求に応答して前記基地局から返送された登録結果を前記アクセス端末ヘ通知する登録結果通知手段と
を更に具備することを特徴とする請求項５記載の加入者無線システム。
【請求項８】
前記新規加入者局は、
前記新規加入者局の設置位置情報に基づき前記抽出基地局に対して該新規加入者局の加入者情報の登録要求を送信する登録要求送信手段
を更に具備し、
前記抽出基地局は、
前記登録要求に基づき前記新規加入者局の加入者情報を前記メインサーバヘ登録する登録手段
を更に具備することを特徴とする請求項５記載の加入者無線システム。
【発明の詳細な説明】
【０００１】
【発明の属する技術分野】
この発明は、加入者無線システムにおける加入者局設置方法および加入者無線システムに関し、特に、該加入者無線システムの運用、保守を行うメインサーバに接続されたアクセス端末を用いることにより新規加入者局のアンテナの調整および新規加入者の登録を簡易に行うことができるようにした加入者無線システムにおける加入者局設置方法および加入者無線システムに関する。
【０００２】
【従来の技術】
従来、この種の加入者無線システムにおいて、新規加入者のアンテナの設置を行う場合は、２次元地図にて基地局および加入者のアンテナ設置位置の確認を行い、これにより基地局のアンテナ設置位置と加入者局のアンテナ設置位置との間に高層建設物等の障害物があるか否かを調べ、その後、実際に現地に赴き基地局のアンテナ設置位置と加入者局のアンテナ設置位置との間の見通し確認を行っていた。
【０００３】
また、現地でのアンテナの方向、角度の調整は、スコープ等によりにオペレータが目視により行っていた。
【０００４】
また、新規加入者の登録に際しては、オペレータが該新規加入者の無線接続する基地局を調べ、該基地局に対して登録を行う必要があり、また、管理側のオペレータが当該基地局に対して位置登録する場合は、当該基地局に対して新規加入者の加入者情報を登録する必要があった。
【０００５】
【発明が解決しようとする課題】
しかし、２次元地図にて基地局および加入者のアンテナ設置位置の確認した後実際に現地に赴き基地局のアンテナ設置位置と加入者局のアンテナ設置位置との間の見通し確認を行う従来の手法においては、アンテナ間の見通し不可という問題の発覚が現地設置時となるため、不要な労力が要求され、また、スコープ等によるオペレータの目視によるアンテナの方向、角度の現地調整は、非常に手間がかかった。
【０００６】
更に、新規加入者の登録は、オペレータが該新規加入者の無線接続する基地局を調べる必要があり、また、新規加入者の加入者情報の登録にも非常に手間がかかった。
【０００７】
そこで、この発明は、新規加入者局のアンテナの調整および新規加入者の登録を簡易に行うことができるようにして新規加入者局のアンテナの設置作業および新規加入者の登録作業の簡略化した加入者無線システムにおける加入者局設置方法および加入者無線システムを提供することを目的とする。
【０００８】
【課題を解決するための手段】
請求項１の発明は、所定の位置に予め設置されている複数の基地局と、該複数の基地局に無線回線を介して接続される複数の加入者局と、各局の運用、保守を行うメインサーバとを有する加入者無線システムにおける加入者局設置方法において、新規加入者局の設置に際して、前記メインサーバに接続されるアクセス端末から該新規加入者局の設置位置情報を入力して、前記メインサーバに対して問合せを行い、前記メインサーバは、前記新規加入者局の設置位置情報に基づく問合せに対応して、位置情報格納手段に格納された前記複数の基地局の位置情報およびその無線範囲を参照して該新規加入者局の無線接続可能な基地局を抽出し、該抽出した抽出基地局の設置位置情報および前記新規加入者局の設置位置情報に基づき地図情報配信サーバにアクセスして、前記抽出基地局の設置位置および前記新規加入者局の設置位置を含む３次元地図情報を取得し、該取得した３次元地図情報を前記アクセス端末ヘ転送し、前記アクセス端末は、前記メインサーバから転送された３次元地図情報に基づき前記抽出基地局の設置位置および前記新規加入者局の設置位置を含む３次元地図を表示し、該表示した３次元地図に基づき前記抽出基地局の設置位置と前記新規加入者局の設置位置との間の見通し判定を行い、該判定の判定結果により前記抽出基地局の設置位置と前記新規加入者局の設置位置との間の見通しが否の場合は、前記新規加入者局の設置位置を微調整し、該微調整した前記新規加入者局の設置位置を前記メインサーバに送信して再問合せを行い、前記新規加入者局の設置位置の微調整および前記メインサーバに対する再問合せを前記判定結果が良となるまで繰り返すことを特徴とする。
【００１０】
また、請求項２の発明は、請求項１の発明において、前記メインサーバは、前記アクセス端末からの前記新規加入者局のアンテナの設置方位および上下角度情報の要求に際して、前記新規加入者局の設置位置情報および前記抽出基地局の設置位置情報に基づき該新規加入者局のアンテナの最適方位および上下角度を算出し、該算出したアンテナの最適方位および角度を前記アクセス端末へ通知することを特徴とする。
【００１１】
また、請求項３の発明は、請求項１の発明において、前記メインサーバは、前記アクセス端末からの前記新規加入者局の設置位置情報に基づき前記抽出基地局に対して該新規加入者局の登録要求を送信し、該登録要求に応答して前記基地局から返送された登録結果を前記アクセス端末ヘ通知することを特徴とする。
【００１２】
また、請求項４の発明は、請求項１の発明において、前記新規加入者局は、前記新規加入者局の設置位置情報に基づき前記抽出基地局に対して該新規加入者局の加入者情報の登録要求を送信し、前記抽出基地局は、前記登録要求に基づき前記新規加入者局の加入者情報を前記メインサーバヘ登録することを特徴とする。
【００１３】
また、請求項５の発明は、所定の位置に予め設置されている複数の基地局と、前記基地局に無線回線を介して接続される複数の加入者局と、各局の運用、保守を行うメインサーバとを有する加入者無線システムにおいて、前記メインサーバに接続されるアクセス端末と、前記メインサーバに接続され、前記複数の基地局の位置情報およびその無線範囲を格納する位置情報格納手段と、前記メインサーバに接続され、３次元地図情報を配信する地図情報配信サーバとを具備し、前記メインサーバは、前記アクセス端末で入力された新規加入者局の設置位置情報に基づく問合せに対応して、前記位置情報格納手段に格納された前記複数の基地局の位置情報およびその無線範囲を参照して該新規加入者局の無線接続可能な基地局を抽出する抽出手段と、前記抽出手段で抽出された抽出基地局の設置位置情報および前記アクセス端末で入力された新規加入者局の設置位置情報に基づき前記地図情報サーバにアクセスして、前記抽出基地局の設置位置および前記新規加入者局設置位置を含む３次元地図情報を取得する取得手段と、前記取得手段で取得した３次元地図情報を前記アクセス端末ヘ転送する転送手段とを具備し、前記アクセス端末は、前記転送手段により転送された３次元地図情報に基づき前記抽出基地局の設置位置および前記新規加入者局の設置位置を含む３次元地図を表示する表示手段と、前記表示手段により表示された３次元地図に基づき前記抽出基地局の設置位置と前記新規加入者局の設置位置との間の見通し判定を行う判定手段と、前記判定手段の判定結果が否である場合は、前記新規加入者局の設置位置を微調整する調整手段と、前記調整手段で調整した前記新規加入者局の設置位置を前記メインサーバに送信して問合せを行う再問合せ手段とを具備し、前記調整手段による前記微調整および前記再問合せ手段による前記問合せを前記判定手段の判定結果が良となるまで繰り返すことを特徴とする。
【００１５】
また、請求項６の発明は、請求項５発明において、前記メインサーバは、前記アクセス端末からの前記新規加入者局のアンテナの設置方位および上下角度情報の要求に際して、該新規加入者局の設置位置情報および前記抽出基地局の設置位置情報に基づき該新規加入者局のアンテナの最適方位および上下角度を算出算出手段と、前記算出手段で算出したアンテナの最適方位および角度を前記アクセス端末へ通知する通知手段とを更に具備することを特徴とする。
【００１６】
また、請求項７の発明は、請求項５の発明において、前記メインサーバは、前記新規加入者局の設置位置情報に基づき前記抽出基地局に対して該新規加入者局の登録要求を送信する送信手段と、前記登録要求に応答して前記基地局から返送された登録結果を前記アクセス端末ヘ通知する登録結果通知手段とを更に具備することを特徴とする。
【００１７】
また、請求項８の発明は、請求項５発明において、前記新規加入者局は、前記新規加入者局の設置位置情報に基づき前記抽出基地局に対して該新規加入者局の加入者情報の登録要求を送信する登録要求送信手段を更に具備し、前記抽出基地局は、前記登録要求に基づき前記新規加入者局の加入者情報を前記メインサーバヘ登録する登録手段を更に具備することを特徴とする。
【００２０】
【実施の形態】
以下、この発明に係わる加入者無線システムにおける加入者局設置方法および加入者無線システムの実施の形態を添付図面を参照して詳細に説明する。
【００２１】
図１は、この発明を適用した加入者無線システムの概略構成を示すシステム構成図である。
【００２２】
図１において、この加入者無線システムは、複数の基地局１０−１〜１０−ｎ、複数の基地局１０−１〜１０−ｎとそれぞれ無線回線を介して接続される加入者局１１−１〜１１−ｍおよび加入者局１２−１〜１２−ｏ、基地局１０−１〜１０−ｎにそれぞれ接続される装置データ格納部１３−１〜１３−ｎ、基地局１０−１〜１０−ｎと有線接続され、複数の基地局１０−１〜１０−ｎおよび加入者局１１−１〜１１−ｍ，１２−１〜１２−ｏを管理するメインサーバ２０、メインサーバ２０に接続され、加入者局の新設等の処理を行う複数のアクセス端末３０−１〜３０−ｐ、メインサーバ２０に接続され、地図情報を配信する地図情報配信サーバ４０、メインサーバ２０に接続され、基地局１０−１〜１０−ｎの位置データを格納する位置データ格納部５０、メインサーバ２０に接続され、加入者局１１−１〜１１−ｍおよび加入者局１２−１〜１２−ｏの加入者データを格納する加入者データ格納部６０、地図情報配信サーバ４０に接続され、３次元地図情報を格納する地図データ格納部７０を具備して構成される。
【００２３】
ここで、装置データ格納部１３−１〜１３−ｎには、それぞれの基地局１０−１〜１０−ｎの基地局に無線接続される加入者局に関するデータ等がそれぞれ格納されている。
【００２４】
また、加入者データ格納部６０には、この加入者無線システムに収容される加入者の各種情報が格納されている。
【００２５】
また、位置データ格納部５０には、この加入者無線システムに収容される基地局の位置情報、すなわち基地局のアンテナの設置位置（緯度および経度等）、基地局の無線無線範囲等を示す情報および地図データ記憶部７０に記憶された３次元地図情報のインデック等が格納されている。
【００２６】
上記構成において、加入者局の新設に際しては、アクセス端末３０−１〜３０−ｐの内のいずれかのアクセス端末、例えば、アクセス端末３０−１から新設する新規加入者局の加入者情報および設置位置情報を入力する。
【００２７】
ここで、この加入者情報には該新規加入者に関する各種情報が含まれ、設置位置情報には、新規加入者局の住所およびアンテナの設置位置およびアンテナの設置高度等の情報が含まれている。
【００２８】
新規加入者局の加入者情報および設置位置情報が入力されたアクセス端末３０−１は、メインサーバ２０と通信を行い、メインサーバ２０に対して新規加入者局の位置情報に対応する表示データを要求する。
【００２９】
メインサーバ２０は、アクセス端末３０−１から新規加入者局の位置情報に対応する表示データの要求を受けると、アクセス端末３０−１から通知された新規加入者局の設置位置情報を内部の管理データ、例えば緯度、経度、および高度情報に変換し、位置データ格納部５０に格納された同地域の基地局の位置および３次元地図情報のインデックを検索する。
【００３０】
また、メインサーバ２０は、上記検索した３次元地図情報のインデックに基づき地図情報配信サーバ４０にアクセスして地図データ格納部７０から該当する３次元地図データを取得する。
【００３１】
そして、上記取得した３次元地図データを該当する基地局および新規加入者局の表示位置データとともにアクセス端末３０−１ヘ転送する。
【００３２】
、アクセス端末３０-１では、転送された３次元地図データ上に、表示位置データの示す該当する基地局および新規加入者局の位置を合成し、アクセス端末３０-１の図示しない表示装置上に該当する基地局および新規加入者局の位置を含む３次元地図を表示する。
【００３３】
アクセス端末３０-１では、上記表示された該当する基地局および新規加入者局の位置を含む３次元地図に基づき、該当する基地局および加入者局のそれぞれの設置アンテナ位置の見通しの良否の判断を行う。そして、その判断結果を上記表示装置上に表示する。なお、ここでは、上記３次元地図上に、上記基地局および新規加入者局のそれぞれのアンテナ位置も併せて表示される。
【００３４】
図２は、図１に示した加入者無線システムにおけるメインサーバ２０の詳細構成を示したブロック図である。
【００３５】
図２において、このメインサーバ２０には図１に示したアクセス端末３０−１〜３０−ｐおよび地図情報配信サーバ４０および位置データ格納部５０および加入者データ格納部６０が接続され、地図情報配信サーバ４０には、地図データ格納部７０が接続されている。
【００３６】
なお、図２においてはアクセス端末３０−１〜３０−ｐの内の１つのアクセス端末をアクセス端末３０として示している。
【００３７】
また、メインサーバ２０は、基地局抽出部２１、３次元地図情報取得部２２、３次元地図情報転送部２３を具備して構成される。
【００３８】
ここで、基地局抽出部２１は、アクセス端末３０から送信された新規加入者局の位置情報に基づき位置データ格納部５０を検索して、当該新規加入者が接続可能な基地局、すなわち当該新規加入者が無線範囲に含まれる基地局を抽出する。
【００３９】
この基地局抽出部２１による基地局を抽出処理においては、当該新規加入者が無線範囲に含まれる基地局の位置およびこの基地局の位置に関する３次元地図情報のインデック等が検索されるとともに、加入者データ記憶部５０に新規加入者の位置情報が格納される。
【００４０】
３次元地図情報取得部２２は、基地局抽出部２１で検索された３次元地図情報のインデックに基づき地図情報配信サーバ４０にアクセスして地図データ格納部７０から該当する基地局および新規加入者局の位置を含む３次元地図データを取得する。
【００４１】
３次元地図情報転送部２３は、３次元地図情報取得部２２で取得した該当する基地局および新規加入者局の位置を含む３次元地図データを当該基地局の位置情報と新規加入者の位置情報とともにアクセス端末３０へ転送する。
【００４２】
アクセス端末３０は、３次元地図情報転送部２３から転送された該当する基地局および新規加入者局の位置を含む３次元地図データおよび当該基地局の位置情報および新規加入者の位置情報を受信すると、この受信した３次元地図データに当該基地局の位置情報および新規加入者の位置情報を合成して該当する基地局および新規加入者局の位置を含む３次元地図を該アクセス端末３０の図示しない表示装置に表示する。
【００４３】
図３は、アクセス端末３０に表示される３次元地図の一例を示す図である。
【００４４】
なお、図３においては、１つの基地局１００に対して２つの加入者局装置１１０−１と１１０−２が表示されているが、実際は１つの新規加入者局に対応して表示されるのは１つの加入者局装置だけである。
【００４５】
図３において、実際に表示される新規加入者局が加入者局装置１１０−１である場合は、アクセス端末３０において、この加入者局装置１１０−１と基地局１００との間の見通しは良であると判定される。
【００４６】
また、図３において、実際に表示される新規加入者局が加入者局装置１１０−２である場合は、アクセス端末３０において、この加入者局装置１１０−２と基地局１００との間の見通しは否であると判定される。
【００４７】
アクセス端末３０において表示される新規加入者局が図３で示す見通しが否である加入者局装置１１０−２であるような場合は、アクセス端末３０において新規加入者局と当該基地局との間の見通しが否である旨の表示がなされ、この場合は、アクセス端末３０の画面上で加入者局装置１１０−２の微調整を行い、新規加入者局と当該基地局との間の見通しが良となるように位置調整を行う。
【００４８】
この位置調整は行った新規加入者の位置情報は、再びメインサーバ２０と通信を行い、メインサーバ２０に対して新規加入者局の位置調整を行った位置情報に対応する表示データを要求する。
【００４９】
図４は、図２に示した構成における新規加入者の設置処理を示すシーケンスチャートである。
【００５０】
アクセス端末３０において、新規加入者局の設置処理を開始する場合は、まず、新規加入者局の設置位置情報を入力する。これにより、アクセス端末３０は、メインサーバ２０への問い合わせを行い、メインサーバ２０に対して、新規加入者局の設置位置情報を送信する。
【００５１】
メインサーバ２０は、アクセス端末３０から新規加入者局の設置位置情報を受信すると、この設置位置情報を内部の管理データ、例えば緯度、経度、および高度情報に変換する位置情報変換を行い、この位置情報変換した新規加入者局の位置情報に基づき、位置データ格納部６０を検索して、該新規加入者局が無線通信可能な基地局を抽出する。
【００５２】
そして、この抽出した基地局を含む３次元地図情報のインデックに基づき地図情報配信サーバ４０に対してこの抽出した基地局の位置および新規加入者局の位置を含む３次元地図情報を要求する。
【００５３】
この３次元地図情を受けた地図情報配信サーバ４０は、この３次元地図情報のインデックに基づき地図データ格納部７０を検索する地図情報検索処理を実行して、抽出した基地局の位置および新規加入者局の位置を含む３次元地図データを求め、この３次元地図データをメインサーバ２０へ送信する。
【００５４】
メインサーバ２０は、この３次元地図データに対して必要な表示位置変換を行い、この３次元地図データを表示データとしてアクセス端末３０へ転送する。
【００５５】
アクセス端末３０は、この表示データの転送を受けると、この表示データに基づき、当該基地局の位置および新規加入者局の位置を含む図３に示したような３次元地図を表示する。
【００５６】
アクセス端末３０では、この当該基地局の位置および新規加入者局の位置を含む３次元地図に基づき当該基地局と新規加入者局との見通し判断、すなわち、当該基地局のアンテナと新規加入者局のアンテナとの間に障害物が存在するか否かの判定を行い、その判定結果を表示する。
【００５７】
ここで、上記見通し判断においてその判断結果が否であると判定されると、この見通し判断結果が良となるように新規加入者局の位置、すなわちアンテナの設置位置をアクセス端末３０の表示画面上で微調整する。
【００５８】
そして、アクセス端末３０は、この設置位置微調整の結果に基づき、再び、メインサーバ２０への問い合わせを行い、メインサーバ２０に対して、この設置位置微調整した新規加入者局の設置位置情報を送信する。
【００５９】
メインサーバ２０では、この設置位置情報の上記と同様の位置情報変換を行い、上記と同様に地図情報配信サーバ４０に対して基地局の位置およびこの微調整した新規加入者局の位置を含む３次元地図情報を要求する。
【００６０】
地図情報配信サーバ４０では、上記と同様に地図データ格納部７０を検索して、当該基地局の位置および当該新規加入者局の位置を含む３次元地図データを求め、この３次元地図データをメインサーバ２０へ送信する。
【００６１】
これにより、メインサーバ２０では、この３次元地図データに対して上記と同様の表示位置変換を行い、この３次元地図データを表示データとしてアクセス端末３０へ転送する。
【００６２】
アクセス端末３０では、この表示データの転送を受けると、上記と同様にこの表示データに基づき、当該基地局の位置および当該新規加入者局の位置を含む図３に示したような３次元地図を表示し、この３次元地図に基づき当該基地局と当該新規加入者局との見通し判断を行い、その判定結果を表示する。
【００６３】
このような構成によると、アクセス端末３０では、実際に現地に赴くことなく新規加入者局とこの新規加入者局と無線接続する基地局との間の見通し判断を行うことができる。
【００６４】
図５は、図４に示したようにして仮想的に設置した新規加入者局のアンテナの方位、上下角度をアクセス端末３０において調整する処理を示すシーケンスチャートである。
【００６５】
図５において、アクセス端末３０は、入力された新規加入者局の設置位置情報に基づきメインサーバ２０への問い合わせを行い、メインサーバ２０に対して、この設置位置情報を送信する。
【００６６】
メインサーバ２０では、アクセス端末３０から新規加入者局の設置位置情報を受信すると、この設置位置情報を内部の管理データ、例えば緯度、経度、および高度情報に変換する位置情報変換を行い、この位置情報変換した新規加入者局の位置情報に基づき、位置データ格納部６０を検索して、該新規加入者局が無線通信可能な基地局を抽出する。
【００６７】
そして、メインサーバ２０は、この抽出した基地局の緯度、経度、および高度情報および新規加入者局の設置位置情報に基づき、新規加入者局の方位、上下角度を算出する。
【００６８】
このメインサーバ２０の算出結果、すなわち、新規加入者局の方位、上下角度は、アクセス端末３０へ送信され、アクセス端末３０において表示される。
【００６９】
図６は、図１に示したアクセス端末３０−１〜３０−ｐにおける新規加入者局の登録処理を示すシーケンスチャートである。
【００７０】
図６において、アクセス端末３０−１〜３０−ｐの内の例えばアクセス端末３０−１で、新規加入者局の設置位置情報を入力すると、このアクセス端末３０−１は、メインサーバ２０への問い合わせを行い、メインサーバ２０に対して、この設置位置情報を送信する。
【００７１】
メインサーバ２０では、アクセス端末３０から新規加入者局の設置位置情報を受信すると、この設置位置情報を内部の管理データ、例えば緯度、経度、および高度情報に変換する位置情報変換を行い、この位置情報変換した新規加入者局の位置情報に基づき、位置データ格納部６０を検索して、該新規加入者局が無線通信可能な基地局を抽出する。
【００７２】
そして、メインサーバ２０は、この抽出した基地局、例えば、基地局１０−１〜１０−ｎの内の基地局１０−１に対して新規加入者局の登録要求を行う。
【００７３】
基地局１０−１は、メインサーバ２０から受けたこの登録要求を判定し、自局内の装置データ格納部１３−１に登録し、当該新規加入者局との通信を可能な状態に設定するとともに、その登録結果をメインサーバ２０に通知し、メインサーバ２０はこの登録結果を更にアクセス端末３０-１へ通知する。
【００７４】
そして、アクセス端末３０-１は、この登録結果を表示する。
【００７５】
図７は、図１に示したメインサーバ２０に対する新規加入者局の加入者情報の登録処理を示すシーケンスチャートである。
【００７６】
図７において、加入者局１１−１〜１１−ｍ，１２−１〜１２−ｏの内の新規加入者、例えば加入者局１０−１で、加入者情報の登録指示が入力されると、この加入者局１０−１は、基地局１０-１と通信を開始し、基地局１０-１に対して加入者情報および認証のためのキー情報を送信して登録要求を行う。
【００７７】
基地局１０-１では、この加入者情報および認証のためのキー情報を受信すると、まず、キー情報に基づき認証を行った後、自局内の装置データ格納部１３−１の管理データと比較してこの加入者情報が既登録の加入者局のものであるか否かを判定する。
【００７８】
ここで、この加入者情報が既登録の加入者局のものである場合は、即時通信可能な状態に遷移するが、未登録加入者のものである場合は。この加入者情報をメインサーバ２０へ転送して、この加入者情報の登録要求、すなわち登録可否の判定を依頼する。
【００７９】
メインサーバ２０では、この加入者情報の登録の登録可否の判定を行い、登録できる場合は、この加入者情報を加入者データ格納部６０に登録して、その登録結果を基地局１０-１ヘ通知する。
【００８０】
これにより、基地局１０-１は、この加入者情報を自局内の装置データ格納部１３−１に登録して加入者局１０−１との通信を開始する。
【００８１】
【発明の効果】
以上説明したようにこの発明によれば、新規加入者局のアンテナ設置現場でなければ判定できなかった基地局および加入者局のアンテナ間の見通し確認をアンテナ設置現場に赴くことなく事前に確認することが可能になり、加入者局使用可否の早期確認を行うことができ、また、アンテナ設置工数の削減可能になるので、新規加入者局の設定に際してのサービスの向上、コスト低減が図れるという効果を奏する。
【００８２】
また、新規加入者局のアンテナの方向、上下角度等を予め知ることができるので、アンテナ設置工数の削減を図ることができ、新規加入者局のアンテナ設置に対する低コスト化が図れる。
【００８３】
また、アクセス端末から新規加入者局の登録が可能になり、登録工数の削減を図ることができ、新規加入者局の登録に対する低コスト化、高能率化が図れる。
【図面の簡単な説明】
【図１】この発明を適用した加入者無線システムの概略構成を示すシステム構成図である。
【図２】図１に示した加入者無線システムにおけるメインサーバ２０の詳細構成を示したブロック図である。
【図３】図２に示したアクセス端末に表示される３次元地図の一例を示す図である。
【図４】図２に示した構成における新規加入者の設置処理を示すシーケンスチャートである。
【図５】図４に示したようにして仮想的に設置した新規加入者局のアンテナの方位、上下角度をアクセス端末において調整する処理を示すシーケンスチャートである。
【図６】図１に示したアクセス端末３０−１〜３０−ｐにおける新規加入者局の登録処理を示すシーケンスチャートである。
【図７】図１に示したメインサーバに対する新規加入者局の加入者情報の登録処理を示すシーケンスチャートである。
【符号の説明】
１０−１〜１０−ｎ    基地局
１１−１〜１１−ｍ    加入者局
１２−１〜１２−ｏ    加入者局
１３−１〜１３−ｎ    装置データ格納部
２０    メインサーバ
２１    基地局抽出部
２２    ３次元地図情報取得部
２３    ３次元地図情報転送部
３０−１〜３０−ｐ    アクセス端末
４０    地図情報配信サーバ
５０    位置データ格納部
６０    加入者データ格納部
７０    地図データ格納部
【図１】
0004225676.tif 000002
【図２】
0004225676.tif 000003
【図３】
0004225676.tif 000004
【図４】
0004225676.tif 000005
【図５】
0004225676.tif 000006
【図６】
0004225676.tif 000007
【図７】
0004225676.tif 000008